(57)【要約】【課題】地表面及び建造物にも表面積の限りがある中で、できるだけ少ない環境負荷で建造物の表層面上にいかに様々な機能を具備させるかという問題を鑑みて、環境に配慮した様々な機能を具備する建造物表面塗布用の機能性樹脂を提供することを課題とする。【解決手段】建造物の外面に塗布する樹脂であって、パーフルオロアルキル基を有するアクリレートと、無機蛍光顔料と、酸化チタンと、を含有するアクリル系樹脂層を含み、葉緑素を含有するエポキシ樹脂層をさらに含んでも良いことを特徴とする機能性樹脂。【選択図】  図１
2009256396.tif 000002
【特許請求の範囲】
【請求項１】
建造物の外面に塗布する樹脂であって、
パーフルオロアルキル基を有するアクリレートと、無機蛍光顔料と、酸化チタンと、を含有するアクリル系樹脂層を含むことを特徴とする機能性樹脂。
【請求項２】
葉緑素を含有するエポキシ樹脂層をさらに含むことを特徴とする請求項１記載の機能性樹脂。
【発明の詳細な説明】
【技術分野】
【０００１】
本発明は、道路表面及び建築物の外壁面等の建造物表面に対して、着氷及び着雪防止、蛍光機能、光触媒機能、及び光合成機能を有する機能性層を付与する機能性樹脂に関する。
【背景技術】
【０００２】
近年、環境配慮に着目した技術に注目が集まる中で、燃料電池や太陽電池などのクリーンな発電システム、酸化チタンに代表される光触媒による大気汚染物質の分解、二酸化炭素吸収剤の開発等、様々な技術が開発されている。
【０００３】
道路のアスファルト表層面上及びトンネル内壁面上に塗布する塗料については、蛍光塗料や光触媒含有塗料などが開発されている。
【０００４】
また、太陽電池や燃料電池の蓄電方式の開発等も進められている。
【０００５】
しかし、上記のような技術を実用製品へと活用するとき、これまではいずれも、それぞれの技術毎の単体での活用及び製品化に留まっていた。
【発明の開示】
【発明が解決しようとする課題】
【０００６】
機能毎に個別製品を生産していくには、当該製品を設置する場所、製造装置及び製造場所が個別に必要となってしまうという問題がある。
【０００７】
また、個別に生産すると、その種類分だけ製造による環境負荷がかかってしまうという問題がある。
【０００８】
上記の諸問題を鑑みて、地表面及び建造物にも表面積の限りがある中で、できるだけ少ない環境負荷で建造物の表層面上にいかに様々な機能を具備させるかということが今後の製品製造における中心的な方向性となってくる。
【０００９】
そこで、本発明では、環境に配慮した様々な機能を具備する建造物表面塗布用の機能性樹脂を提供することを課題とする。
【課題を解決するための手段】
【００１０】
請求項１に記載の発明は、建造物の外面に塗布する樹脂であって、パーフルオロアルキル基を有するアクリレートと、無機蛍光顔料と、酸化チタンと、を含有するアクリル系樹脂層を含むことを特徴とする機能性樹脂である。
【００１１】
請求項２に記載の発明は、葉緑素を含有するエポキシ樹脂層をさらに含むことを特徴とする請求項１記載の機能性樹脂である。
【発明の効果】
【００１２】
請求項１に記載の機能性樹脂は、パーフルオロアルキル基を有するアクリレート（ＰＦＡ）を含有するアクリル系樹脂層を具備することにより、ＰＦＡ中のパーフルオロアルキル基の表面配向性能を利用して、撥水性に優れたＣＦ３基が表面に緻密に配列した、着氷・着雪の防止及び撥水性を備えた機能性樹脂を得ることができる。
【００１３】
また、無機蛍光顔料を含有するアクリル系樹脂層を具備することにより、蛍光発光する機能を備えた機能性樹脂を得ることができる。
【００１４】
さらに、酸化チタンを含有するアクリル系樹脂層を具備することにより、光触媒作用による有機物分解機能を備えた機能性樹脂を得ることができる。
【００１５】
ここで、樹脂層にアクリル系樹脂を使うことにより、低温下での硬化が遅いエポキシ樹脂に比べ、気温の低い冬季にも短時間での施行が可能である。
【００１６】
請求項２に記載の機能性樹脂は、請求項１に記載の機能性樹脂に加え、葉緑素を含有するエポキシ樹脂層をさらに具備ことにより、光合成作用による二酸化炭素の吸収及び酸素変換機能を備えた機能性樹脂を得ることができる。
【００１７】
ここで、樹脂層にエポキシ樹脂を使うことにより、遮熱性を有し、路面及び建造物外面の温度上昇を抑制する機能を備えることができる。
【発明を実施するための最良の形態】
【００１８】
図１に示すように、本発明の機能性樹脂１は、アクリル系樹脂層２及びエポキシ樹脂層３を含む。
【００１９】
機能性樹脂１は、特に限定されるものではないが、道路のアスファルト及び飛行場等の舗装表面上、及び、ビルディング、住宅、橋等の建築物の外壁面上等に塗布されることが好ましい。
【００２０】
アクリル系樹脂層２のアクリル系樹脂には、硬化性に優れるメタクリル樹脂を使用することが好ましい。
メタクリル樹脂は、ビニルエステル樹脂、ビニルウレタン樹脂、アクリル変性ポリエステル樹脂等のオリゴマーをメタクリル酸メチル（ＭＭＡ）等のメタクリル酸エステルモノマーで溶解させた樹脂であり、一般的にベンゾイルパーオキサイド（ＢＰＯ）等の過酸化物とアミンとによるラジカル反応により硬化させる。
【００２１】
ＰＦＡには、下記一般式で表されるパーフルオロアルキル基含有アクリレートを使用することが好ましい。
【化１】
2009256396.tif 000003
上記化学式中、Ｘは水素原子、フッ素原子、塩素原子若しくはメチル基を、Ｙは炭素数１乃至３のアルキレン基若しくは―（ＣＨ２）ｎ−Ｎ（Ｒ）ＳＯ２―を表す。Ｒｆは炭素数３乃至１５のパーフルオロアルキル基をあらわす。
【００２２】
当該Ｒｆの炭素数は６乃至１５のものが特に好ましく、炭素数６乃至１５のＲｆ群の中から１つ若しくは２つ以上のアクリレートを混合して用いても良い。
【００２３】
無機蛍光顔料は、紫外線照射により蛍光発光するものが好ましく、日没後は紫外線照射光源を点灯して蛍光発光させる。
具体的な無機蛍光顔料には、以下の組成をしようすることが好ましい。
Ｙ２Ｏ２Ｓ  〔Ｅｕ〕
ＢａＭｇＡｌ１６Ｏ２６  〔Ｅｕ，Ｍｎ〕
（Ｓｒ，Ｂａ，Ｃａ，Ｍｇ）５（ＰＯ４）３Ｃｌ  〔Ｅｕ〕
上記組成中、〔  〕内の元素記号は紫外線賦活剤である。
【００２４】
紫外線照射光源は、紫外線を長時間連続照射すると人体への影響が避けられないため、１秒間照射後２秒間消灯という３秒間１周期の照射を行う。光源は照射領域が連続してつながるように複数設置されることとし、隣り合う光源の照射周期は１秒ずれるようにする。つまり、照射領域が連続して移動するようにする。
特に道路表面上に塗布する場合には、照射領域の移動方向が車線の進行方向と同じ方向となることが好ましい。
【００２５】
酸化チタンの結晶学的構造は結晶質、非晶質のいずれでも良く、両方が混在したものであっても良い。結晶質酸化チタンには、アナターゼ型、ブルッカイト型及びルチル型があり、そのいずれを用いても良いし、２型以上が混在したものであっても良い。
高い可視光触媒活性を得るには、アナターゼ型の結晶質酸化チタンであることが好ましい。
さらに、当該酸化チタンは酸素欠陥を有するものであっても良い。
【００２６】
エポキシ樹脂層３は、図１に示すようにアクリル系樹脂層２の上に積層されていることが好ましく、丈夫からの光等をアクリル系樹脂層２へ透過させるために、１０マイクロメートル以下の厚さであることが好ましい。
【００２７】
葉緑素は、蚕沙を主体とする原料をエタノールに溶解することにより抽出し、その濾過液からエタノールを気化させたものをエポキシ樹脂中に分散させる。
【００２８】
エポキシ樹脂は、１分子当たりグリシジル基を少なくとも２つ有する化合物であれば特に限定されるものではなく、具体的には、ビスフェノールＡ、ビスフェノールＦ、１，１′−ビス（３−ｔ−ブチル−６−メチル−４−ヒドロキシフェニル）ブタン、テトラメチルビフェノール、ナフタレンジオール等の２価フェノール類から誘導されるグリシジルエーテル化合物、ｐ−オキシ安息香酸、ｍ−オキシ安息香酸、テレフタル酸、イソフタル酸等の芳香族カルボン酸から誘導されるグリシジルエステル化合物、若しくはトリグリシジルイソシアヌレートがある。
また、フェノール、ｏ−クレゾール、ｍ−クレゾール、ｐ−クレゾール等のフェノール類とホルムアルデヒドの反応生成物であるノボラック樹脂から誘導されるノボラック系エポキシ樹脂、及び、フロログリシン、トリス−（４−ヒドロキシフェニル）メタン、１，１，１−トリスヒドロキシフェニルメタン、１，１，２，２−テトラキス（４−ヒドロキシフェニル）エタン等のフェノールと芳香族カルボニル化合物との縮合反応により得られる多価フェノール類から誘導されるグリシジルエーテルがあり、これらは単独であるいは２種類以上の混含物として用いることができる。
本発明では特に、１分子中に３個以上のグリシジル基を有するノボラック型エポキシ樹脂を用いることが好ましい。
【００２９】
本発明の機能性樹脂によれば、撥水機能、蛍光発光機能、光触媒機能、光合成機能、遮熱機能を具備する建造物外面塗布用樹脂を得ることができる。
【図面の簡単な説明】
【００３０】
【図１】本発明の機能性樹脂の一実施形態の断面図である。
【符号の説明】
【００３１】
１  機能性樹脂
２  アクリル系樹脂層
３  エポキシ樹脂層
４  建造物外表面
【図１】
2009256396.tif 000004